(57)【特許請求の範囲】
【請求項１】
複数のカルテ情報、前記複数のカルテ情報のセットであるカルテセットの名称と前記カルテセットに含まれる前記複数のカルテ情報との紐付け情報、および、前記カルテセットの内容が記載されたシートを格納する情報格納部と、
カルテ画面に表示された前記カルテ情報を前記カルテセットとして登録する操作が行われたとき、前記複数のカルテ情報、前記紐付け情報、および、前記シートを前記情報格納部に登録すると共に、前記カルテセットの名称を前記カルテ画面に追加して表示させる制御部と、を有し、
前記制御部は、
前記カルテ画面に表示されている前記カルテセットの名称に対する選択操作が行われた場合には、前記カルテセットの名称に紐付けられた前記複数のカルテ情報を、前記情報格納部から読み出して前記カルテ画面に表示させ、
前記情報格納部に格納されているシートの一覧が呼び出されると共に呼び出されたシートの一覧の中から前記シートが選択された場合には、選択された前記シートを前記カルテ画面とは別の画面に表示させる、
電子カルテ装置。
【請求項２】
前記制御部は、
登録された前記カルテセットが複数存在するとき、前記複数のカルテセットの名称を一覧表示させる、
請求項１に記載の電子カルテ装置。
【請求項３】
前記制御部は、
前記カルテ情報に対する検索操作を受け付け、検索された前記カルテ情報を含む前記カルテセットの名称を前記カルテ画面に表示させる、
請求項１に記載の電子カルテ装置。
【請求項４】
前記カルテ情報は、患者の経過、病名、および処方のうち少なくとも一つを含み、
前記検索操作は、前記カルテ情報、および／または、前記カルテセットの名称に対するテキスト検索操作である、
請求項３に記載の電子カルテ装置。
【請求項５】
前記制御部は、
前記カルテ画面に表示されている前記カルテセットの名称に対する選択操作が行われ、前記カルテセットの名称に紐付けられた前記複数のカルテ情報を、前記情報格納部から読み出して前記カルテ画面に表示させたとき、前記カルテ画面に表示された前記カルテ情報に対する編集操作を受け付け、前記カルテ画面に表示された前記カルテ情報に対する編集が行われたとき、編集後の前記カルテ情報で編集前の前記カルテ情報を上書きする、
請求項１に記載の電子カルテ装置。
【請求項６】
前記制御部は、
前記カルテ画面に表示されている前記カルテセットの名称に対する削除操作が行われた場合には、当該カルテセットの名称を前記カルテ画面から削除する、
請求項１に記載の電子カルテ装置。
【請求項７】
前記カルテ画面は、前記カルテ情報が表示される第１の画面領域と、前記第１の画面領域と重複しない第２の画面領域と、を含み、
前記制御部は、
前記カルテセットの名称を、前記第２の画面領域に表示させる、
請求項１に記載の電子カルテ装置。
【請求項８】
電子カルテ装置によって実行される電子カルテ制御方法であって、
カルテ画面に表示された複数のカルテ情報をカルテセットとして情報格納部に登録する操作が行われたとき、前記複数のカルテ情報、前記カルテセットの名称と前記カルテセットに含まれる前記複数のカルテ情報との紐付け情報、および、前記カルテセットの内容が記載されたシートを前記情報格納部に登録するステップと、
前記カルテセットの名称を前記カルテ画面に表示するステップと、
前記カルテ画面に表示されている前記カルテセットの名称に対する選択操作が行われた場合に、前記カルテセットの名称に紐付けられた前記複数のカルテ情報を、前記情報格納部から読み出して前記カルテ画面に表示させるステップと、
前記情報格納部に格納されているシートの一覧が呼び出されると共に呼び出された一覧の中から前記シートが選択された場合に、選択された前記シートを前記カルテ画面とは別の画面に表示させるステップと、を含む、
電子カルテ制御方法。
【発明の詳細な説明】
【技術分野】
【０００１】
本発明は、電子カルテ装置および電子カルテ制御方法に関する。
【背景技術】
【０００２】
電子カルテは、医師等が患者の経過等、病名、および処方等の情報（以下「カルテ情報」という）の記録を紙への手書きにより行っていた従来のカルテを、電子的なシステムに置き換えたものである。
【０００３】
電子カルテにおける入力項目は、診療科毎あるいは患者毎等により異なる。そこで、従来、電子カルテの機能を発揮する装置（以下「電子カルテ装置」という）において、多数の入力項目を一覧表示し、各項目に対する選択操作およびテキスト入力操作を受け付けることが行われている（例えば特許文献１参照）。かかる従来技術を用いることにより、ユーザは、必要十分な内容のカルテ情報を生成することができる。
【先行技術文献】
【特許文献】
【０００４】
【特許文献１】特開２００５−３１６９６８号公報
【発明の概要】
【発明が解決しようとする課題】
【０００５】
しかしながら、新規の患者についてカルテ情報の記録を開始しようとする度に、多数の入力項目の中から必要なものを探し出して選択し、個々のテキスト入力を行うといった作業を行うことは、ユーザへの負担が大きい。そこで、頻繁に用いられるカルテ情報をシートに列挙して記録しておき、カルテ情報をあらたに入力する際に、まずシートを呼び出し、シートに記録されたカルテ情報の中から選択して、カルテ情報を呼び出すことも考えられる。ところが、かかる作業もユーザにとっては負担となり得る。
【０００６】
本発明の目的は、より簡単にカルテ情報の記録を開始することができる電子カルテ装置および電子カルテ制御方法を提供することである。
【課題を解決するための手段】
【０００７】
本開示の電子カルテ装置は、カルテ情報、前記カルテ情報のセット、および、前記セットに含まれるカルテ情報が記載されたシートを格納する情報格納部と、カルテ画面に表示された前記カルテ情報を新たなセットとして登録する操作が行われたとき、当該カルテ情報が記載された新たなシートを前記情報格納部に登録すると共に、当該カルテ情報をセットとして読み出すためのリンクを前記カルテ画面に追加して表示させる制御部と、を有する。
【０００８】
本開示の電子カルテ制御方法は、カルテ情報、前記カルテ情報のセット、および、前記セットに含まれるカルテ情報が記載されたシートを格納する情報格納部を参照して、カルテ画面に、前記セットに含まれる前記カルテ情報をカルテ画面に表示させるステップと、表示された前記カルテ情報に対して、当該カルテ情報を新たなセットとして登録する操作が行われたとき、当該カルテ情報が記載された新たなシートを前記情報格納部に登録すると共に、当該カルテ情報をセットとして読み出すためのリンクを前記カルテ画面に追加して表示させるステップと、を有する。
【発明の効果】
【０００９】
本開示によれば、カルテ情報をより簡単に登録し、登録されたカルテ情報をより簡単に読み出すことができるため、より簡単にカルテ情報の記録を開始することができる。
【図面の簡単な説明】
【００１０】
【図１】本発明の一実施の形態に係る電子カルテ装置の構成の一例を示すブロック図
【図２】本実施の形態における経過等入力画面の外観の一例を示す平面図
【図３】本実施の形態における病名入力画面の外観の一例を示す平面図
【図４】本実施の形態における処方等入力画面の外観の一例を示す平面図
【図５】本実施の形態におけるシートの外観の一例を示す平面図
【図６】本実施の形態におけるカルテ画面の外観の一例を示す平面図
【図７】本実施の形態に係る電子カルテ装置の動作の一例を示すフローチャート
【図８】本実施の形態におけるリンクの表示形態を設定するウィンドウの外観の一例を示す平面図
【図９】本実施の形態における新たなリンクが追加されたときの画面状態の一例を示す平面図
【発明を実施するための形態】
【００１１】
以下、本開示の一実施の形態について、図面を参照して詳細に説明する。
【００１２】
＜装置の構成＞
まず、本実施の形態に係る電子カルテ装置の構成について説明する。
【００１３】
図１は、本実施の形態に係る電子カルテ装置の構成の一例を示すブロック図である。
【００１４】
なお、電子カルテ装置は、図示しないが、例えば、ＣＰＵ（Central Processing Unit）、制御プログラムを格納したＲＯＭ（Read Only Memory）等の記憶媒体、ＲＡＭ（Random Access Memory）等の作業用メモリ、および通信回路等のハードウェアを有する。すなわち、以下に説明する各部の機能は、例えば、パーソナルコンピュータのＣＰＵが、当該コンピュータのメモリに格納された制御プログラムを読み出して実行することにより、実現される。
【００１５】
また、「カルテ情報」とは、医師等が記録の対象とする各種の情報のことであり、本実施の形態においては、後述の、経過等入力画面、病名入力画面、処方等入力画面を介して入力されるそれぞれの情報を指す。しかしながら、本実施の形態における「カルテ情報」は、これらの形態に限られるものではなく、以下に説明する具体的な情報以外の各種の情報を含んでもよい。後述の通り、電子カルテ装置は、複数の画面で入力されたカルテ情報を、一つのセット（カルテセット）にしてまとめて記録する。そして、電子カルテ装置は、記録されたセットに属するカルテ情報を一括してカルテ入力画面に読み出して、適宜編集することにより、別の患者についての記録としても活用することを可能にする。
【００１６】
図１において、電子カルテ装置１００は、情報格納部１１０、操作入力部１２０、制御部１３０、および表示部１４０を有する。
【００１７】
情報格納部１１０は、ユーザから選択または入力されたカルテ情報を一時的に格納すると共に、ユーザから、カルテ情報をカルテセットとして登録する指示を受け付ける。かかる指示があった場合、情報格納部１１０は、当該カルテセットの名称（カルテセットに含まれるカルテ情報をカルテ画面に読み出すためのリンク）、カルテ情報が記載されたシート、カルテセットに含まれるそれぞれのカルテ情報、および、それらの紐付け情報を格納する。その他に、情報格納部１１０は、電子カルテ装置１００のグラフィカルユーザインタフェースであるカルテ画面を生成するための画像データ、カルテ情報を構成する入力項目、および、カルテ情報を所定の書式で表示するための雛形データ等の、各種情報を予め格納している。情報格納部１１０は、後述の制御部１３０からアクセス可能となっている。
【００１８】
操作入力部１２０は、例えば、マウス等のポインティングデバイスとキーボード等の文字入力デバイスを含み、ユーザから選択操作および文字入力操作等の各種操作を受け付ける。操作入力部１２０は、受け付けた操作の内容を示す操作情報を、制御部１３０へ出力する。
【００１９】
制御部１３０は、上述の画像データに基づいてカルテ画面を生成して表示部１４０へ出力する。なお、制御部１３０は、操作入力部１２０で行われた操作に応じて、カルテ画面にカルテ情報を表示させる。
【００２０】
また、制御部１３０は、カルテ画面に表示されたカルテ情報に対して登録操作が行われたとき、そのカルテ情報を情報格納部１１０に登録（記録）する。そして、制御部１３０は、登録されたカルテ情報を読み出すためのリンクを、カルテセットの名称として、カルテ画面に追加して表示させる。
【００２１】
なお、制御部１３０は、より詳細には、表示制御部１３１およびメモリ制御部１３２を有する。表示制御部１３１は、各画面の表示制御処理を行う。メモリ制御部１３２は、情報格納部１１０へのカルテ情報の登録、カルテセット（カルテセットの名称およびカルテ画面上のリンクとの紐付け情報）の登録、およびシートの登録、および、登録された情報の読み出し等のメモリ制御処理を行う。
【００２２】
表示部１４０は、例えば、液晶ディスプレイ等の画像表示デバイスを含み、制御部１３０により生成されたカルテ画面を表示する。
【００２３】
ここで、カルテ情報を入力するための入力画面の概要について説明する。かかる入力画面は、患者の経過等に関する情報を入力するための経過等入力画面と、患者の病名に関する情報を入力するための病名入力画面と、患者の処方等に関する情報を入力するための処方等入力画面を含む。これらの画面は、それぞれ独立しており、個別に入力操作を受け付ける。
【００２４】
制御部１３０は、経過等、病名、あるいは処方等についてのカルテ情報の入力の開始を示す所定の操作が行われると、これを検知し、対応する入力画面を生成して表示する。
【００２５】
図２は、経過等入力画面の外観の一例を示す平面図である。
【００２６】
図２に示すように、経過等入力画面２１０は、作業対象となるデータを選択する操作を受け付けるデータ選択領域２１１と、経過等に関する情報を入力するための入力領域２１２と、入力作業を補助する定型文等の情報を表示する情報表示領域２１３とを含む。入力領域２１２は、複数の項目毎に、文字入力欄や選択チェックボックス等を表示する。制御部１３０は、経過等入力画面２１０の登録ボタン２１４に対するクリック操作が行われたとき、入力領域２１２に入力された内容を、経過等についてのカルテ情報として情報格納部１１０に保存する。
【００２７】
図３は、病名入力画面の外観の一例を示す平面図である。
【００２８】
図３に示すように、病名入力画面２２０は、病名の検索の仕方を選択するための検索手法選択領域２２１と、病名を検索するための検索領域２２２と、検索された病名および日付等の情報を入力するための入力領域２２３とを有する。制御部１３０は、病名入力画面２２０の登録ボタン２２４に対するクリック操作が行われたとき、入力領域２２３に入力された内容を、病名についてのカルテ情報として情報格納部１１０に保存する。
【００２９】
図４は、処方等入力画面の外観の一例を示す平面図である。
【００３０】
図４に示すように、処方等入力画面２３０は、作業対象となるデータを選択する操作を受け付けるデータ選択領域２３１と、処方等に関する情報を入力するための入力領域２３２と、入力作業を補助する薬のセット等の情報を表示する情報表示領域２３３とを含む。入力領域２３２は、例えば、データ選択領域２３１または情報表示領域２３３で選択された薬に関する情報を表示すると共に、処方量等の各種情報の文字入力を受け付ける。制御部１３０は、処方等入力画面２３０の登録ボタン２３４に対するクリック操作が行われたとき、入力領域２３２に入力された内容を、処方等についてのカルテ情報として情報格納部１１０に保存する。
【００３１】
制御部１３０は、ユーザの登録指示（登録操作）に応じて、このようにして各入力画面で得られた複数のカルテ情報を情報格納部１１０に登録する。そして、制御部１３０は、登録された複数のカルテ情報を、後で一まとまりにして読み出すことができるように、カルテセット（カルテセットの名称およびカルテセットに含まれるカルテ情報との紐付け情報）として情報格納部１１０に登録する。更に、制御部１３０は、カルテセットの内容を記載したシートを、情報格納部１１０に登録する。
【００３２】
図５は、シートの外観の一例を示す平面図である。
【００３３】
図５に示すように、シート３００には、例えば、経過等入力画面２１０、病名入力画面２２０、および処方等入力画面２３０（図２〜図４参照）を介してユーザにより入力された情報が、制御部１３０によって全て列挙して記載される。制御部１３０は、かかるシート３００を適宜表示し、シート３００の記載内容に対する編集操作を受け付ける。
【００３４】
＜カルテ画面＞
次に、カルテ画面の概要について説明する。
【００３５】
制御部１３０は、例えば、新たに生成されたカルテ情報や、過去に生成されて登録されたカルテ情報を、カルテ画面に表示する。
【００３６】
図６は、カルテ画面の外観の一例を示す平面図である。
【００３７】
図６に示すように、カルテ画面４００は、第１〜第３の画面領域４１０〜４３０を含む。第１の画面領域４１０は、入力されたカルテ情報を表示する。第２の画面領域４２０は、過去に登録されたカルテ情報をセットとして読み出すためのリンクとなるカルテセットの名称や、文書や画像、更には処方等の情報格納部１１０に記録された情報を読み出すためのリンクを表示する。第３の画面領域４３０は、各種の機能ボタンを表示する。第２の画面領域４２０に表示される各リンク、および、第３の画面領域４３０に表示される各機能ボタンは、例えば、上述のポインティングデバイスを介して操作されるカーソル４４０により、選択することが可能となっている。
【００３８】
第２の画面領域４２０は、例えば、「小児科（問診）」という文字列から成る第１のリンク４２１を表示する。この表示される文字列は、ユーザが自由に決定可能である。また、第１の画面領域４１０は、例えば、第１のリンク４２１に紐付けられたカルテ情報、つまりカルテセット「小児科（問診）」に含まれているカルテ情報を読み出して表示する。制御部１３０は、カルテセットが複数存在するとき、これら複数のカルテセットに対応する複数のリンクを、第２の画面領域４２０に一覧表示させる。
【００３９】
なお、第１〜第３の画面領域４１０〜４３０は、互いに重複しないことが望ましいが、いずれかの画面領域がポップアップウィンドウである等、これらの画面領域の相対位置関係が任意に調整可能である場合は、この限りでない。
【００４０】
＜装置の動作＞
次に、電子カルテ装置１００の動作について説明する。
【００４１】
図７は、電子カルテ装置１００の動作の一例を示すフローチャートである。電子カルテ装置１００は、例えば、上述の経過等入力画面２１０、病名入力画面２２０、および処方等入力画面２３０（図２〜図４参照）を表示してカルテ情報の入力を受け付け、かかるカルテ情報をカルテ画面に表示した後、以下の処理を開始する。
【００４２】
ステップＳ１０１０において、制御部１３０は、カルテ画面４００に表示されたカルテ情報に対してカルテセットとしての登録操作が行われたか否かを判定する。かかる登録操作は、例えば、第１の画面領域４１０にカルテセットのカルテ情報が表示された状態において、第３の画面領域４３０の登録ボタン４３１をクリックする操作である（図６参照）。
【００４３】
制御部１３０は、登録操作が行われた場合（Ｓ１０１０：ＹＥＳ）、処理をステップＳ１０２０へ進める。また、制御部１３０は、登録操作が行われていない場合（Ｓ１０１０：ＮＯ）、処理を後述のステップＳ１０３０へ進める。
【００４４】
ステップＳ１０２０において、制御部１３０は、登録の対象となったカルテ情報のカルテセットを情報格納部１１０に登録する。また、制御部１３０は、登録されたカルテセットの名称（カルテセットにアクセスするためのリンク）を、カルテ画面４００に追加して表示させる。更に、この表示と同時に、制御部１３０は、カルテセットに含まれるカルテ情報の全てをシートに記載し、そのシートを情報格納部１１０に登録する。以下、ステップＳ１０２０をより詳細に説明する。
【００４５】
制御部１３０は、例えば、カルテセットの登録に際して、リンクの表示形態を設定するためのポップアップウィンドウを表示させる。
【００４６】
図８は、リンクの表示形態を設定するためのポップアップウィンドウの外観の一例を示す平面図である。
【００４７】
図８に示すように、制御部１３０は、ポップアップウィンドウ５００において、例えば、カルテセットの名称５１０の入力を受け付ける。そして、制御部１３０は、ポップアップウィンドウ５００の登録ボタン５２０がクリックされると、入力された名称５１０、つまりリンクを、カルテセットの名称として第２の画面領域４２０に表示させる。そのカルテセットの名称の表示と同時に、制御部１３０は、第１の画面領域４１０に表示されているカルテ情報の全てをシートに記載し、そのシートを情報格納部１１０に登録する（図６参照）。
【００４８】
図９は、新たなリンクが追加されたときの、第２の画面領域４２０の状態の一例を示す図であり、図６の第２の画面領域４２０に対応するものである。
【００４９】
図９に示すように、例えば、カルテセットの名称５１０として入力された「感冒」の文字列が、第１のリンク４２１とは別に、第２のリンク４２２として第２の画面領域４２０に追加される。
【００５０】
図７のステップＳ１０３０において、制御部１３０は、表示されたリンクに対して表示選択操作が行われたか否かを判定する。かかる表示選択操作は、例えば、第２の画面領域４２０に表示されたカルテセットの名称（リンク）のいずれかをクリックする操作である（図６参照）。
【００５１】
制御部１３０は、選択されたカルテセットに含まれるカルテ情報を読み出して第１の画面領域へ表示させるための表示選択操作が行われた場合（Ｓ１０３０：ＹＥＳ）、処理をステップＳ１０４０へ進める。また、制御部１３０は、表示選択操作が行われていない場合（Ｓ１０３０：ＮＯ）、処理を後述のステップＳ１０５０へ進める。
【００５２】
ステップＳ１０４０において、制御部１３０は、選択されたカルテセットに含まれるカルテ情報を情報格納部１１０から読み出し、カルテ画面４００の第１の画面領域４１０（図６参照）に表示させる。
【００５３】
ステップＳ１０５０において、制御部１３０は、編集操作が行われたか否かを判定する。かかる編集操作は、例えば、第２の画面領域４２０に表示されたカルテセットの名称（リンク）のうち、カルテ情報の編集対象となるカルテセットの名称に対して右クリックを行い、当該右クリックに対応して表示される複数の項目のうち「セット編集」という項目をクリックする操作である（図６参照）。なお、かかる編集操作は、カルテセットの名称（リンク）に対する右クリック操作の前に、第３の画面領域４３０に表示された「一覧」というボタンをクリックし、登録されている全てのカルテセットを一覧表示（図示せず）させる操作を含んでもよい（図６参照）。
【００５４】
制御部１３０は、編集操作が行われた場合（Ｓ１０５０：ＹＥＳ）、処理をステップＳ１０６０へ進める。また、制御部１３０は、編集操作が行われていない場合（Ｓ１０５０：ＮＯ）、処理を後述のステップＳ１０７０へ進める。
【００５５】
ステップＳ１０６０において、制御部１３０は、編集操作の対象となった、登録されたカルテセットに含まれるカルテ情報を読み出して、ポップアップ表示等を行い、カルテ情報に対する編集操作を受け付ける。かかる編集操作は、例えば、表示された数値を変更する操作、カルテ情報を追加する操作、および、カルテ情報の一部を削除する操作が挙げられる。
【００５６】
ステップＳ１０７０において、制御部１３０は、第２の画面領域４２０（図６参照）に表示されたカルテセットの名称（リンク）に対して削除操作が行われたか否かを判定する。かかる削除操作は、例えば、第２の画面領域４２０に表示されたリンクのいずれか（例えば、第１のリンク４２１）に対して右クリックを行い、当該右クリックに対応して表示される複数の項目のうち「削除」という項目をクリックする操作である。
【００５７】
制御部１３０は、削除操作が行われた場合（Ｓ１０７０：ＹＥＳ）、処理をステップＳ１０８０へ進める。また、制御部１３０は、削除操作が行われていない場合（Ｓ１０７０：ＮＯ）、処理を後述のステップＳ１０９０へ進める。
【００５８】
ステップＳ１０８０において、制御部１３０は、削除操作の対象となったリンクを、カルテ画面４００の第２の画面領域４２０から削除する（図６参照）。なお、制御部１３０は、カルテセットの名称（リンク）のみを削除するのであって、情報格納部１１０に登録されているカルテセットや、カルテセットに含まれるカルテ情報については削除しない。
【００５９】
但し、この形態に対する変形例として、制御部１３０は、カルテセットの名称（リンク）を削除する際に、情報格納部１１０に登録されているカルテセットや、カルテセットに含まれるカルテ情報を削除する構成としてもよい。
【００６０】
そして、ステップＳ１０９０において、制御部１３０は、ユーザ操作等によりカルテ画面に関する処理の終了を指示されたか否かを判定する。制御部１３０は、処理の終了を指示されていない場合（Ｓ１０９０：ＮＯ）、処理をステップＳ１０１０へ戻す。また、制御部１３０は、処理の終了を指示された場合（Ｓ１０９０：ＹＥＳ）、一連の処理を終了する。
【００６１】
以上のように、本実施の形態に係る電子カルテ装置１００は、カルテ情報、前記カルテ情報のセット、および、当該セットに含まれるカルテ情報が記載されたシートを格納する情報格納部１１０を有する。また、本実施の形態に係る電子カルテ装置１００は、カルテ画面に表示されたカルテ情報を新たなセットとして登録する操作が行われたとき、当該カルテ情報が記載された新たなシートを情報格納部１１０に登録すると共に、当該カルテ情報をセットとして読み出すためのリンク（カルテセットの名称）をカルテ画面に追加して表示させる制御部１３０を有する。
【００６２】
これにより、本実施の形態に係る電子カルテ装置１００は、カルテ情報がカルテセットとして登録される毎に、当該カルテ情報へのリンクが追加表示されるので、過去に登録されたカルテ情報を活用し易くなる。したがって、本実施の形態に係る電子カルテ装置１００は、より簡単にカルテ情報の記録を開始することができる。
【００６３】
なお、上述の実施の形態では、シートはカルテセットと１対１で対応し、シートの追加登録等は、カルテセットの追加登録等と同時に行われる例について説明行なったが、この例に限定されない。つまり、電子カルテ装置１００は、カルテ画面４００において、カルテセットの登録とは関わらずに、シートの新規作成、シートの名称等の編集、およびシートの削除等を行っても良い。
【００６４】
また、本実施の形態に係る電子カルテ装置１００は、カルテセットを用いたカルテ情報の入力および編集だけでなく、シートを用いたカルテ情報の入力および編集を受け付ける。すなわち、カルテ画面４００において、制御部１３０が、登録されているシートの一覧を呼び出し（シートの一覧の読み出しボタン等は図示せず）、ユーザからのシートの選択を受け付けた場合、対象のシートをポップアップウィンドウ等にて表示し、そのシートに記載されているカルテ情報を利用する。
【００６５】
また、特に、登録されたカルテセット数が増えた場合、ユーザが、読み出すべきカルテセットを把握することが困難になることが想定される。このため、本実施の形態に係る電子カルテ装置１００は、各カルテ情報の入力段階において、カルテセットに対する検索機能を備える。これにより、電子カルテ装置１００ユーザに対して読み出すべきカルテセットの選択を容易にすることができる。
【００６６】
より詳細には、例えば、図３の病名入力画面２２０において、病名である「感冒」がユーザにより選択された場合に、制御部１３０は、情報格納部１１０に登録されているカルテセットに含まれるカルテ情報を検索対象範囲とし、この病名「感冒」がカルテ情報として含まれているカルテセットのみを抽出する。そして、制御部１３０は、抽出されたカルテセットをポップアップ表示により一覧表示することにより、ユーザによるカルテセットの選択を促す。
【００６７】
また、本実施の形態に係る電子カルテ装置１１０は、カルテ情報の検索のみならず、カルテセットの名称に対する検索機能を備える構成としてもよい。
【００６８】
また、電子カルテ装置１００が適用されるデバイスは、上述の例に限定されない。電子カルテ装置１００は、例えば、タッチパネル付きディスプレイを備えたタブレット型端末に適用されてもよい。
【００６９】
また、電子カルテ装置１００の構成の一部は、電子カルテ装置１００の構成の他の部分と物理的に離隔していてもよい。この場合、それらの構成は、互いに通信を行うための通信部をそれぞれ備える必要がある。すなわち、電子カルテ装置１００は、クラウドコンピューティングにより実現されてもよい。
【００７０】
＜本開示のまとめ＞
本開示の電子カルテ装置は、カルテ情報、前記カルテ情報のセット、および、前記セットに含まれるカルテ情報が記載されたシートを格納する情報格納部と、カルテ画面に表示された前記カルテ情報を新たなセットとして登録する操作が行われたとき、当該カルテ情報が記載された新たなシートを前記情報格納部に登録すると共に、当該カルテ情報をセットとして読み出すためのリンクを前記カルテ画面に追加して表示させる制御部と、を有する。
【００７１】
なお、上記電子カルテ装置において、前記制御部は、表示された前記リンクに対して選択操作が行われたとき、前記リンクと対応して登録された前記カルテ情報を前記カルテ画面に表示させてもよい。
【００７２】
また、上記電子カルテ装置において、前記制御部は、登録された前記カルテ情報のセットが複数存在するとき、前記複数のカルテ情報のセットに対応する複数の前記リンクを一覧表示させてもよい。
【００７３】
また、上記電子カルテ装置において、前記制御部は、登録された前記カルテ情報に対する検索操作を受け付け、検索された前記カルテ情報が含まれるセットに対応する前記リンクを前記カルテ画面に表示させてもよい。
【００７４】
また、上記電子カルテ装置において、前記カルテ情報は、患者の経過、病名、および処方のうち少なくとも一つを含み、前記制御部は、前記カルテ情報、および／または、前記カルテ情報の名称に対するテキスト検索操作を受け付けてもよい。
【００７５】
また、上記電子カルテ装置において、前記制御部は、表示された前記リンクに対して選択操作が行われたとき、前記リンクに対応するカルテセットに含まれる前記カルテ情報を前記カルテ画面に表示させて前記カルテ情報に対する編集操作を受け付け、前記カルテ情報に対する編集が行われたとき、編集後の前記カルテ情報で編集前の前記カルテ情報を上書きしてもよい。
【００７６】
また、上記電子カルテ装置において、前記制御部は、前記カルテ画面に表示された前記リンクに対して削除操作が行われたとき、当該リンクを前記カルテ画面から削除してもよい。
【００７７】
また、上記電子カルテ装置において、前記カルテ画面は、前記カルテ情報が表示される第１の画面領域と、前記第１の画面領域と重複しない第２の画面領域と、を含み、前記制御部は、前記リンクを、前記第２の画面領域に表示させてもよい。
【００７８】
本開示の電子カルテ制御方法は、カルテ情報、前記カルテ情報のセット、および、前記セットに含まれるカルテ情報が記載されたシートを格納する情報格納部を参照して、カルテ画面に、前記セットに含まれる前記カルテ情報をカルテ画面に表示させるステップと、表示された前記カルテ情報に対して、当該カルテ情報を新たなセットとして登録する操作が行われたとき、当該カルテ情報が記載された新たなシートを前記情報格納部に登録すると共に、当該カルテ情報をセットとして読み出すためのリンクを前記カルテ画面に追加して表示させるステップと、を有する。
【産業上の利用可能性】
【００７９】
本発明は、より簡単にカルテ情報の記録を開始することができる電子カルテ装置および電子カルテ制御方法として有用である。
【符号の説明】
【００８０】
１００  電子カルテ装置
１１０  情報格納部
１２０  操作入力部
１３０  制御部
１３１  表示制御部
１３２  メモリ制御部
１４０  表示部
【図１】
0006670076.tif 000002
【図２】
0006670076.tif 000003
【図３】
0006670076.tif 000004
【図４】
0006670076.tif 000005
【図５】
0006670076.tif 000006
【図６】
0006670076.tif 000007
【図７】
0006670076.tif 000008
【図８】
0006670076.tif 000009
【図９】
0006670076.tif 000010